(57)【特許請求の範囲】
【請求項１】
サムターン軸を係合させた操作カム及びデッドカムにより、錠箱内で水平方向に移動可能な従動部材を、基準位置からガードアーム作動位置及びデッドボルト係入位置に選択的に進出させ、又は逆に、ガードアーム作動位置及びデッドボルト係入位置から基準位置に後退させるようにしたガードアーム錠において、扉に取り付けられる座に対しサムターンを軸線方向に変位可能とすること；サムターンを常態位置から軸線方向に変位させた操作位置においてサムターンを回動させた時、サムターンを正常なガードアーム作動位置に停止させるため、サムターンと座との間に角度位置規制用のストッパ手段を設けたこと；及び、サムターンにその軸線方向の変位を常態に戻すための付勢手段を設けたことを構成条件とするガードアーム錠におけるサムターンの角度位置規制装置。
【請求項２】
サムターン軸を係合させた操作カム及びデッドカムにより、錠箱内で水平方向に移動可能な従動部材を、基準位置からガードアーム作動位置及びデッドボルト係入位置に選択的に進出させ、又は逆に、ガードアーム作動位置及びデッドボルト係入位置から基準位置に後退させるようにしたガードアーム錠において、扉に取り付けられる座に対しサムターンを軸線方向に変位可能とすること；サムターンを常態位置から軸線方向に変位させた操作位置においてサムターンを回動させた時、サムターンを正常なガードアーム作動位置に停止させるため、サムターンと座との間に角度位置規制用のストッパ手段を設けたこと；及び、サムターンにその軸線方向の変位を常態に戻すための付勢手段を設けたこと；及び、サムターンを回動方向における平常の基準角度位置でのみ軸線方向に変位させ得るようにすると共に、基準角度位置以外の他の位置では軸線方向に変位できないようにした制御手段を設けたことを構成条件とするガードアーム錠におけるサムターンの角度位置規制装置。
【発明の詳細な説明】
【０００１】
【発明の属する技術分野】
この発明は、ガードアーム錠におけるサムターンの角度位置規制装置に関する。
更に詳しくは、ガードアーム作動位置において、サムターンが操作カムと共に正規の角度位置に確実に停止されるようにした規制装置に関する。
【０００２】
【従来の技術】
例えば、実開平３−１４２７０号公報、あるいは特開平５−３０６５８７号公報に記載されたガードアーム錠は、サムターン軸を係合させた操作カム及びデッドカムにより、錠箱内で水平方向に移動可能な従動部材を、基準位置からガードアーム作動位置及びデッドカム係入位置に選択的に進出させ、又は逆に、ガードアーム作動位置及びデッドボルト係入位置から後退させることができるようにしてある。
【０００３】
このようなガードアーム錠では、操作カム及び／又はデッドカムの平常の基準位置、中間のガードアーム作動位置及びデッドボルト係入位置を適度の拘束力で規制するため、クリック手段が備えてある。
【０００４】
前述の公報に示されたクリック手段は、図１及び図２にも符号４３として示されているように、錠箱に装着された山形部を有する板材と、押し付け用のばねと、操作カム又はデッドカムに突設された山形の突片とから成る。
【０００５】
【発明が解決しようとする課題】
しかしながら、前記のようなクリック手段のみで、サムターンを操作カムと共にガードアーム作動位置において正規の角度位置に停止させようとしても、該クリック手段は剛的な停止手段ではなく弾性的な停止手段であるため、停止させようとする最適な位置の前後でずれを生じることがある。
【０００６】
このようなずれの発生は、従動部材を介してガードアームに向け突出されるデッドボルト、又は作動位置に向け突出されるガードアームを適正位置にセットすることができない。
【０００７】
このことは扉の開閉に伴うガードアームの作動においてこじりを起こしたりして円滑さを阻害するところとし、ガードアームが引っ掛かった状態で扉を無理に押し引きすると、ガードアームを損傷させたりする。
【０００８】
この発明のガードアーム錠におけるサムターンの角度位置規制装置は、ガードアームの作動位置において、サムターンと共に操作カムを適正な角度位置に確実に停止させ、ガードアームを常に円滑に動作させるようにすることを目的として提案されたものである。
【０００９】
また、この発明の他の目的は、ガードアームを作動位置に進出させる操作の途中で、サムターンのつまみから指を滑らせて離したとしても、サムターンの軸線方向の変位位置がそのまま保持できるようにすることである。
【００１０】
【課題を解決するための手段】
上記の目的を達成するため、この発明の請求項１に係るサムターンの角度位置規制装置は、上述の従来のガードアーム錠において、扉に取り付けられる座に対しサムターンを軸線方向に変位可能とすること；サムターンを常態位置から軸線方向に変位させた操作位置においてサムターンを回動させた時、サムターンを正常なガードアーム作動位置に停止させるため、サムターンと座との間に角度位置規制用のストッパ手段を設けたこと；及び、サムターンにその軸線方向の変位を常態に戻すための付勢手段を設けたことを特徴とする。
【００１１】
また、この発明の請求項２に係るサムターンの角度位置規制装置は、前記の請求項１の装置に対し、サムターンを回動方向における平常の基準角度位置でのみ軸線方向に変位させ得るようにすると共に、基準角度位置以外の他の位置では軸線方向に変位できないようにした制御手段を付加したものである。
【００１２】
【発明の実施の形態】
図１及び図２はこの発明を適用できるガードアーム錠をそれぞれ例示している。図１のガードアーム錠は前出の特開平５−３０６５８７号公報に示されたものと同等であり、図２のガードアーム錠は同じく実開平３−１４２７０号公報に示されたものと同等であるので、ここでは両図については簡単に述べるに止める。
【００１３】
図１及び図２において、符号１０は扉、２０は扉枠、３０はストライク、１は錠箱、２はデッドボルト、３はガードアーム、４１、４２は錠箱１に回転可能に支承された操作カム及びデッドカムをそれぞれ示している。前記のカム４１、４２は別体として互に固定してもよいし、一体に形成してもよい。
【００１４】
図１のガードアーム３は扉枠２０側のストライク３０に揺動可能に枢支してあり、また、図２のガードアーム３は扉１０側に固定される錠箱１に対し突出入可能に装着してある。
【００１５】
図１〜図４を参照して、室外側のシリンダ錠６に差し込んだ鍵（図示しない）又は室内側のサムターン７を例えば左又は右に回すことにより、操作カム４１及びデッドカム４２を回動（揺動）させることができるようにしてある。
【００１６】
そして、その際、錠箱１内で水平方向に移動可能な従動部材５は、前記のカム４１、４２に押動されて、平常の基準位置（解錠位置）からガードアーム作動位置及びデッドボルト係入位置（施錠位置）に選択的に進出し、又は逆にその各進出位置から基準位置に後退することができるようにしてある。通常、前記の従動部材５は２つ以上の部片で作られる。
【００１７】
サムターン７のつまみ７１を結合させたサムターン軸７３は、前記の操作カム４１及びデッドカム４２に対し軸線方向には抜き差し可能であって軸線の回りには回動不能に係合させてある。
【００１８】
要するに、サムターン軸７３の操作カム４１及びデッドカム４２に対する係合部は横断面が十字状など非円形に形成してある。
【００１９】
なお、操作カム４１及びデッドカム４２には、サムターン軸７３の反対側からシリンダ錠６における内筒のテールピース（図示しない）が回転角度方向に遊動部分を持たせて係合させてある。
【００２０】
図１に実線で示すように、サムターンにより従動部材５を介してデッドボルト２を半突出状態にすると、デッドボルト２の先端部がガードアーム３の係合孔３１に係合し、ガードアーム３は作動状態となる。
【００２１】
ガードアーム作動状態で扉１０を開放させれば、デッドボルト２は従動部材５内において圧縮ばね２２に抗してガイド棒２１に沿って上昇し、扉１０を閉鎖させれば、デッドボルト２は下方に向け復動する。それらの間ガードアーム３は揺動する。
【００２２】
また、図１に鎖線で示すように、サムターン又は鍵により従動部材５を介してデッドボルト２を最大突出状態にすると、デッドボルト２の先端部はストライク３０の係合孔４０に係合され、施錠状態となる。
【００２３】
一方、図２に示すガードアーム錠においては、サムターンにより従動部材５を介してその上部に固定された押し板５１を前方に突出させると、ガードアーム３の係合突起３２がストライク３０の長孔５０に嵌め込まれ、ガードアーム３が作動状態となる。
【００２４】
ガードアーム作動位置で扉１０を開閉すれば、係合突起３２がストライク３０の長孔５０に沿って上下動し、ガードアーム３が扉１０の開放角度を制限しつつ揺動する。
【００２５】
図２の例においても、サムターン又は鍵により従動部材５を介してデッドボルト２を最大突出状態にすると、デッドボルト２の先端部がストライク３０の長孔５０の一部である係入孔に係入され、施錠状態となる。
【００２６】
次に、この発明の第１実施例における要部について、図３及び図４を参照して説明する。
扉１０に直接又は間接的に取り付けられる有底円筒状の座８１に対し、サムターン７の有底円筒状のつまみ７１がかしめ付け等により先端に固定されたサムターン軸７３を、軸線方向に移動可能（変位可能）に設ける。
【００２７】
符号７２はつまみ７１に嵌合させ図示しない止めねじ又はかしめ付け等により固定した有底円筒状のつまみカバー、８２は座８１に嵌合させ図示しない止めねじ又はかしめ付け等により固定した有底円筒状のの座カバー、８３はつまみカバー７２の基部を摺動自在に嵌挿するため、座カバー８２に設けた嵌め孔をそれぞれ示す。
【００２８】
前記のサムターン７のつまみ７１を手指で掴んで戻しばねその他の付勢手段７０に抗して常態位置から軸線方向に変位させたガードアーム操作位置において、サムターン７を回動させた時、サムターン軸７３を角度的に正常なガードアーム作動位置に停止させるため、サムターン７と座８１との間に角度位置規制用のストッパ手段９を設ける。
【００２９】
第１実施例のストッパ手段９は、サムターン軸７３にその半径方向に一体に突出させた少くも１つ（図では２つ）の突片９１と、座８１の底部に止めねじ９３等で固定した少くも１つ（図では２つ）の側面扇形状の穴９４を有するストッパ板９２と、座８１内に形成された側面円形の穴９５とから成る。
【００３０】
サムターン７に設けられた前記の付勢手段７０としては、図示例ではサムターン軸７３の先端側に嵌め込まれた圧縮ばねが採用されているが、例えば２つの磁石の反発作用を利用することもできる。
【００３１】
図３及び図４において、符号６０はシリンダ６に対し座８１を呼び付けて扉１０の室内側表面に固定するための取付けねじを示す。
【００３２】
図３に示す通常時は、戻し用の付勢手段７０によりサムターン７は同図で右方に位置していて、突片９１は座８１の円形の穴９５内に存在しているので、この時は、つまみ７１はそのまま単に回してやれば、デッドカム４１は図１又は図２で右回りに自由な角度（例えば９０°）を回すことができ、デッドボルト２は最大突出状態となり施錠される。
【００３３】
他方、この発明の第１実施例の規制装置でガードアーム３を作動状態にする際には、図３でつまみ７１を付勢手段７０に抗して矢印Ａで示すように左方に押し込み、サムターン軸７３の角度位置規制用のストッパ手段９が利く（作用する）ようにした後、すなわち、サムターン軸７３の突片９１が扇形状の穴９４内に収まるようにした後、つまみ７１でサムターン７を押したままで例えば右回りに回す。
【００３４】
すると、突片９１の回動は扇形状の穴９４の角度方向の一端部で例えば４５°の角度で剛的に制限されるので、操作カム４１及び従動部材５は適正なガードアーム作動位置に確実に停止されることになる。
【００３５】
そして、その適正な停止位置は、周知の任意のクリック手段４３で保持され得る。つまみ７１から手を離せば、つまみ７１及びサムターン軸７３は付勢手段７０により矢印Ａとは逆方向に向け自動的に復帰する。
【００３６】
上記の施錠状態やガードアーム作動状態を室内側から解除する際には、従来のものと同様に、サムターン７のつまみ７１を単に図１又は図２で左回りに所定角度回せばよい。
【００３７】
上述したこの発明に係る第１実施例の装置においては、そのサムターン７を付勢手段７０に抗して軸線方向に押し込んだ後に回動操作するようにしてあるが、逆に、サムターンを付勢手段に抗して軸線方向に引き出した後に回動操作する形式のものとしても、この発明は実施できる。
【００３８】
図５〜図８には、後者の引出し形式のものを第２実施例として示した。以下にその要部について説明する。尚、第１実施例と第２実施例とで互に同一の符号で指し示す部材は等効の部材であるから、ここでは詳しい説明は省略する。
【００３９】
扉１０に直接又は間接的に取り付けられる有底角筒状の座８１に対し、つまみ７１及びサムターン軸７３をピン７４で結合して成るサムターン７を軸線方向に移動可能（変位可能）に設ける。
【００４０】
符号８２は座８１に嵌合させ図示しない止めねじ又はかしめ付け等により固定した有底角筒状の座カバー、８３はつまみ７１の大径部を遊嵌させるため、座カバー８２に設けた嵌め孔をそれぞれ示す。
【００４１】
第１実施例と同様、第２実施例においても、サムターン７のつまみ７１を手指で掴んで戻しばねその他の付勢手段７０に抗して常態位置から軸線方向に変位させたガードアーム操作位置において、サムターン７を回動させた時、サムターン軸７３を角度的に正常なガードアーム作動位置に停止させるため、サムターン７と座８１との間に角度位置規制用のストッパ手段９を設ける。
【００４２】
第２実施例のストッパ手段９は、サムターン７のつまみ側の軸部に固定した板状の作用部材９６と、座８１の外板部（底板部）にかしめ付け又は溶接等により突設したストッパ片９７とから成る。
【００４３】
作用部材９６は、図６に示すように、サムターン７におけるつまみ側の軸部又はサムターン軸７３の半径方向に一体に突出させた少くも１つ（図では２つ）の突片９１を備える。
【００４４】
図６及び図７において、符号８５は中空の座８１の蓋板８４を固定するための止めねじ、８６は座８１内に設けられた支柱、６０はシリンダ６に対し座８１を呼び付けて扉１０の室内側表面に固定するための取付けねじをそれぞれ示す。
【００４５】
第２実施例において、図５に示す通常時は、戻し用の付勢手段７０によりサムターン７は同図で左方に位置していて、作用部材９６の突片９１とストッパ片９７とはサムターン７の回動において非干渉位置にある。
【００４６】
この時は、つまみ７１をそのまま単に回してやれば、デッドカム４１は図１又は図２で右回りに自由な角度（例えば９０°）を回すことができ、デッドボルト２は最大突出状態となり施錠される。
【００４７】
他方、この第２実施例の装置でガードアーム３を作動状態にする際には、図５でつまみ７１を付勢手段７０に抗して矢印Ｂで示すように右方に引出し、サムターン７の角度位置規制用のストッパ手段９が利く（作用する）ようにした後、すなわち、サムターン７の突片９１が回動方向について座８１のストッパ片９７に干渉するようにした後（図６及び図８参照）、つまみ７１でサムターン７を例えば右回りに回す。
【００４８】
すると、突片９１の回動はストッパ片９７により、例えば４５°の角度で剛的に制限されるので、操作カム４１及び従動カム５は適正なガードアーム作動位置に確実に停止されることになる。
【００４９】
更に、この発明の第２実施例においては、サムターン７の軸部に設けたピン７４の少くも一端を半径方向に突出させてあり、それに対応させて座８１の蓋板８４におけるサムターン７の貫通孔８７に連続させるようにして該蓋板８４に制御孔８８が設けてある。
【００５０】
制御孔８８のサムターン７の回動方向に関する蓋板８４上の穿設位置（形成位置）は、平常時の基準角度位置とする。
【００５１】
すなわち、前記のようなサムターン７のピン７４及び蓋板８４の制御孔８８で構成される制御手段８０は、サムターン７を回動方向における平常の基準角度位置でのみ軸線方向に変位させ得るようにすると共に、基準角度位置以外の他の角度位置では軸線方向に変位できないようにしたものである。
【００５２】
前記の制御手段８０におけるピン７４は、サムターン７におけるつまみ７１の軸部とサムターン軸７３との結合用のピンを兼用させているが、サムターン７に対し専用のピンを別に設けてもよい。また、蓋板８４の制御孔８８は複数設けてもよい。
【００５３】
上述した操作カム４１及び従動部材５のガードアーム作動位置における適正な停止状態は、周知の任意のクリック手段４３で保持され得るが、第２実施例では、その適正な停止位置を確実に保持させるため、別の第２のクリック手段１０１が付設してある（図５及び図６参照）。
【００５４】
その第２のクリック手段１０１は、座８１に枢着された山形部を有する板材１０２と、止め片１０３と、押し付け用のねじりばね１０４と、サムターン７の作用片９６に形成した少くも１つの角部１０５とからなる。
【００５５】
第２実施例においておいても、上記の施錠状態やガードアーム作動状態を室内側から解除する際には、従来のものと同様にサムターン７のつまみ７１を図１又は図２で左回りに所定角度回せばよい。
【００５６】
ガードアームの作動位置にあるサムターン７を所要角度（例えば４５°）戻すと、原位置の基準角度位置において、つまみ７１から手を離せば、サムターン７は付勢手段７０により矢印Ｂとは逆方向に向け軸線方向に沿って自動的に復帰する。
【００５７】
【発明の効果】
以上に説明したこの発明のガードアーム錠におけるサムターンの角度位置規制装置によれば、ガードアームを作動状態とする際に、サムターン並びに操作カムを適正な位置に確実に停止させることができるので、ガードアームが扉や扉枠に引っ掛かったりすることがなく、常にガードアームの円滑な作動が行える効果を奏する。
【００５８】
また、制御手段を備えた装置にあっては、ガードアームを作動位置に進出させる操作の途中で、サムターンのつまみから手を離したとしても、サムターンの軸線方向に関し操作位置がそのまま保持されるので、サムターンの回動操作が楽に行えるのみならず、誤操作を生じさせないなどの効果を奏する。
【図面の簡単な説明】
【図１】この発明が実施できるガードアーム錠の一例を示す部分縦断側面図。
【図２】この発明が実施できるガードアーム錠の他の例を示す部分縦断側面図。
【図３】この発明の第１実施例を示す縦断正面図。
【図４】図３の第１実施例をＩＶ−ＩＶから見た側面図。
【図５】この発明の第２実施例を平常の状態で示す部分縦断側面図。
【図６】図５の第２実施例のＶＩ−ＶＩ線による横断平面図（但し、同図で蓋板の位置部は切除してある）。
【図７】図５の第２実施例の装置から取り外した座の蓋板の平面図。
【図８】第２実施例をサムターンの操作過程で示す部分縦断正面図。
【符号の説明】
１０  扉
２０  扉枠
１  錠箱
２  デッドボルト
３  ガードアーム
４１  操作カム
４２  デッドカム
５  従動部材
７  サムターン
７３  サムターン軸
８１  座
９  ストッパ手段
７０  付勢手段
８０  制御手段
【図１】
0003639935.tif 000002
【図２】
0003639935.tif 000003
【図３】
0003639935.tif 000004
【図４】
0003639935.tif 000005
【図５】
0003639935.tif 000006
【図６】
0003639935.tif 000007
【図７】
0003639935.tif 000008
【図８】
0003639935.tif 000009